(57)【要約】【課題】床に設けられる開口用の蓋であって、蓋の形状を正確に保持できるようにして、蓋装着時の段差やガタ付きを無くすようにする。【解決手段】蓋１は、撓みに対して強固な蓋基板１１と、蓋基板の上に重ねて設けられる蓋表板１２と、蓋表板の周側縁に設けられる蓋枠１３とからなる。蓋枠１３には内向きの鍔１６があって、蓋表板１２の周縁を上面から押え付ける。蓋枠１３の裏面には複数のネジ孔１７があって、蓋基板１１の裏面からネジ１８によって、蓋基板１１に対して締込み固定される。蓋基板の裏面には、周縁に沿って、シールパッキン材が付いていて、このシールパッキン材は、蓋装着時に開口２の受枠３と接触する。【選択図】  図１
2004278122.tif 000002
【特許請求の範囲】
【請求項１】
撓みに対して強固な蓋基板と、この蓋基板の上に重ねて設けられる蓋表板と、この蓋表板の周側縁に設けられる蓋枠とからなり、蓋枠は内向きに鍔を有して、この鍔で蓋表板の周縁を上面から押え付け、また、蓋枠は、その裏面に、複数のネジ孔を有し、蓋基板の裏面からネジによって、蓋基板に対して締込み固定される床の開口蓋。
【請求項２】
蓋表板の上表面には、シート材が重ねて設けられている請求項１記載の床の開口蓋。
【請求項３】
蓋表板の上表面には、クッション材やカーペットが重ねて設けられている請求項１記載の床の開口蓋。
【請求項４】
蓋表板が、木製のフローリング板である請求項１記載の床の開口蓋。
【請求項５】
蓋基板の裏面には、周縁に沿って、シールパッキン材が設けられていて、蓋装着時に、このシールパッキン材が開口の受枠に接触して、気密を図るようになっている請求項１記載の床の開口蓋。
【発明の詳細な説明】
【０００１】
【発明の属する技術分野】
本発明は、住宅の床に設けられる床下点検口や床下収納庫などの開口に使用する蓋に関する。
【０００２】
【従来の技術】
住宅には、定期的な維持管理や、設備配管などのメンテナンスの為に、床面に床下点検口が設けられたり、また、台所には床下収納庫が設けられたりする。そして、これらの開口には、開閉自在な蓋が取付けられるが、この蓋は、荷重に対して充分な強度が必要であり、かつ、装着状態で床面との間に段差があってはならない。この為、従来の蓋の構造は、蓋基板と、その上面に載せる蓋表板と、その周縁を囲む蓋枠とからなる構成である。（例えば、特許文献１参照）また、この蓋枠は、蓋表板に対して側方からのネジ止めで固定される。
【０００３】
【特許文献１】
特許第３２８０６５１号公報（第１−３頁、第１図）
【０００４】
【発明が解決しようとする課題】
ところが前記の従来の蓋は、蓋枠が蓋表板に対して固定される構造であって、蓋基板には特に強くは固定されない。この為、蓋表板に撓みがあると、それを固定時には修正できないので、この撓みが、そのまま蓋の外形に現れて、蓋装着時に床面との間で段差が生じたり、ガタ付きが出たりすることになる。特に、この現象は、蓋表板を２枚構造にしたり、木材を用いたフローリング構造にした時に顕著である。
【０００５】
本発明は、このような点に鑑み、蓋枠を、蓋基板に対して固定することによって、蓋表板に撓みがあっても、これを固定時に修正して、常に正確な外形に保てるようにし、蓋装着時の段差やガタ付きを防止した床の開口蓋を提供するにある。更に本発明は、簡単な構造で、保形性に富み、蓋装着時の安定が良く、長期に互って高い気密性を保持できる床の開口蓋を提供するにある。
【０００６】
【課題を解決するための手段】
本発明の床の開口蓋の技術的手段は、撓みに対して強固な蓋基板と、この蓋基板の上に重ねて設けられる蓋表板と、この蓋表板の周側縁に設けられる蓋枠とからなり、蓋枠は内向きに鍔を有して、この鍔で蓋表板の周縁を上面から押え付け、また、蓋枠は、その裏面に、複数のネジ孔を有し、蓋基板の裏面からネジによって、蓋基板に対して締込み固定されることにある。
【０００７】
また、蓋表板は、その上面にシート材やクッション材、あるいはカーペットを重ねて設けるようにしてもよい。更に、蓋表板は、木製のフローリング板でもよい。また、蓋基板の裏面には、周縁に沿って、シールパッキン材を設け、蓋装着時にはシールパッキン材が開口の受枠と接触して、気密を図れるようにしてもよい。
【０００８】
【発明の実施の形態】
本発明の床の開口蓋の実施の形態を、図面の実施例に基づいて説明する。図１に示されるように、蓋１は、床に設けられた開口２に対して開閉自在である。開口２の周縁には、受枠３が取付けられていて、蓋装着時には、蓋１の周縁が受枠３によって支持され、その表面は、床面とほとんど段差のない面一状態になる。４は床板、５、６は支持材である。７は上面開放の床下収納容器で、取外し自在である。
【０００９】
蓋１は、図２に示されるように、蓋基板１１と、蓋表板１２と、蓋枠１３とからなる。蓋基板１１は、プラスチック製で、上面からの荷重に対して容易に撓むことがないような、充分な強度で作られている。蓋表板１２は、蓋基板１１の表面に重ねて配設され、要所をネジ１４で止めて固定される。この蓋表板１２は、材質などを自由に選ぶことができ、図１のものは上面にシート材１５を貼り合せた構成である。また、このシート材１５に代えてクッション材やカーペットなどを用いることも可能である。更に、図４のように蓋表板を１枚物の木製のフローリング板３０にしてもよい。
【００１０】
蓋枠１３は、周縁だけの枠体で、蓋表板１２の外側縁に嵌着される。また、蓋枠１３は内向きの鍔１６を有し、蓋表板１２の周縁を上面から押え付ける。蓋枠１３の裏面には、適所にネジ孔１７が設けられていて、ネジ１８によって、蓋基板１１の裏面に締込み固着される。１９は蓋基板１１に設けられたネジ貫通孔である。このネジ１８による締込みによって、蓋枠１３は強く蓋基板１１に引き寄せられるので、蓋表板１２の縁辺に撓みがあっても、修正されて、強く蓋基板１１に密着されることになり、開口に装着した時に、段差ができたり、ガタ付きが生じたりすることがない。
【００１１】
２０はシールパッキン材で、蓋基板１１の裏面に、縁辺に沿って図３のように取付けられている。この為、蓋装着時には、このシールパッキン材２０が受枠３と接触することになり、開口２との間の隙間をなくして、気密性が確保されるようになる。
【００１２】
本発明は、前記の実施例に限定されるものではなく、特許請求の範囲の記載の範囲内で自由に変形実施可能である。特に、材質や詳細な形状は自由である。また、蓋表板の種類も自由である。
【００１３】
【発明の効果】
この発明は、蓋枠を、蓋基板に対してネジによって、裏面から締付け固定する方式であるから、撓みに対して強固な蓋基板に蓋枠がしっかり締付固定され、蓋枠の内鍔で蓋表板の周縁が上面から強く押えられて、蓋表板に撓みなどがあっても修正されるようになる。この為、蓋は正確な形状を保持することになり、蓋装着時に段差ができたり、ガタ付きが生じたりすることがない。また、本発明は構造が簡単で、組立が容易であるので、実施化にとって極めて有益である。
【００１４】
請求項２や請求項３のものでは、蓋表板の上面にシート材、クッション材、カーペットが設けられているので、希望に合わせて自由に使用できる上に、複数枚のものでも段差のないようにしっかりと押え込むことができる。
【００１５】
請求項４のものでは、蓋表板が木製のフローリング板で撓みが生じ易いが、蓋枠で押え付けることによって撓みを修正して、段差なく使用可能である。
【００１６】
請求項５のものでは、蓋基板の裏面の周縁にシールパッキン材が設けられているので、蓋装着時には開口の受枠と接触して気密性を高めることができる。この為、開口部からのすきま風や収納庫からの換気などに悩まされることがなくなる。
【図面の簡単な説明】
【図１】開蓋状態の要部の断面図。
【図２】蓋の分解状態の要部の断面図。
【図３】蓋の裏面図。
【図４】他の実施例の蓋の要部の断面図。
【符号の説明】
１          蓋
２          開口
３          受枠
１１        蓋基板
１２        蓋表板
１３        蓋枠
１４、１８  ネジ
１５        シート材
１６        鍔
１７        ネジ孔
１９        ネジ貫通孔
２０        シールパッキン材
【図１】
2004278122.tif 000003
【図２】
2004278122.tif 000004
【図３】
2004278122.tif 000005
【図４】
2004278122.tif 000006